(57)【特許請求の範囲】
【請求項１】
ラジウムまたは酸化トリウムからなる放射性物質が含まれている希土類天然鉱石であるイオン放出天然鉱石と、該イオン放出天然鉱石のイオン化能力を増大させる遠赤外線放出物質と、イオン放出を阻害せずにマイナスイオン放出量を増加させるシリコンとによって、マイナスイオンを放出する複合素材を構成し、
該複合素材をマイナスイオン放出材として冷蔵庫内に配設したことを特徴とする冷凍冷蔵庫。
【請求項２】
前記マイナスイオン放出材を、冷蔵室用ダクト内又は野菜室冷却用ダクト内の両者又はいずれか一方に配設したことを特徴とする請求項１記載の冷凍冷蔵庫。
【請求項３】
前記マイナスイオン放出材を、冷蔵室用ダクト又は野菜室冷却用ダクトの両者又はいずれか一方の吹出し口近傍に配設したことを特徴とする請求項１又は２記載の冷凍冷蔵庫。
【請求項４】
前記マイナスイオン放出材が、前記複合素材を塗布したシートからなり、該シートを冷蔵庫内に取り付けたことを特徴とする請求項１，２又は３のいずれかに記載の冷凍冷蔵庫。
【請求項５】
前記複合素材を塗布したシートの裏面に粘着材を塗布し、該シートの粘着材側を冷蔵庫内に貼り付けたことを特徴とする請求項４記載の冷凍冷蔵庫。
【請求項６】
前記マイナスイオン放出材に代えて前記複合素材を直接塗布したことを特徴とする請求項１，２又は３のいずれかに記載の冷凍冷蔵庫。
【発明の詳細な説明】
【０００１】
【発明の属する技術分野】
本発明は、庫内のマイナスイオン濃度を高めることができる冷凍冷蔵庫に係り、より詳しくは、イオン放出天然鉱石等からなる複合素材を冷蔵庫内等に取り付けて庫内のマイナスイオン濃度を高めることができる冷凍冷蔵庫に関するものである。
【０００２】
【従来の技術】
従来からマイナスイオンの効能については多くの研究がなされており、イオン発生器を内蔵した空気清浄器等がある。
また、例えば、特開昭５４ー１５７３７２号公報に開示された従来技術（図示せず）は、イオン鉱石を混入した合成樹脂材料によって、冷蔵庫内の部品であるファンまたはダクト、吹出し、吸込みグリル等の風路部品を構成して、マイナスイオン濃度を高めるようにしたものである。
【０００３】
【発明が解決しようとする課題】
しかしながら、イオン鉱石を合成樹脂に混入して風路部品を構成する上記の従来技術は、合成樹脂内にイオン鉱石が入り込んでしまうとイオンが発生しにくいため、添加量を多くする必要がある。しかも合成樹脂にイオン鉱石を混入した状態でのマイナスイオンの発生量などがはっきりとしておらず、マイナスイオンの冷気中への発生による具体的効果も明確にされていない。
【０００４】
また、合成樹脂にマイナスイオンが発生するために必要な量のイオン鉱石を混入すると、部品の強度などに影響が出てくる。特に、体積比約３０％のイオン鉱石の混入は、射出成形品のものにおいても機械的強度を低下させる要因になり、加重がかかる部品には適用できないなどの問題があった。
放電方式の場合には、放電電極の表面の劣化によりイオン発生量が低下したり、ホコリ等の付着によってイオン発生が低下するばかりでなく、ホコリへ放電の際に着火するなどのおそれがあった。
【０００５】
本発明は、上記のような課題を解決するためになされたもので、マイナスイオン放出天然鉱石等からなる複合素材を、冷蔵庫の冷気庫内等に取り付けて、庫内にマイナスイオンを循環させ、細菌の除菌、脱臭を行ない、食品を衛生的にかつおいしく保存することができる冷凍冷蔵庫を提供することを目的とする。
【０００６】
【課題を解決するための手段】
本発明に係る冷凍冷蔵庫は、ラジウムまたは酸化トリウムからなる放射性物質が含まれている希土類天然鉱石であるイオン放出天然鉱石と、このイオン放出天然鉱石のイオン化能力を増大させる遠赤外線放出物質と、イオン放出を阻害せずにマイナスイオン放出量を増加させるシリコンとによって、マイナスイオンを放出する複合素材を構成し、この複合素材をマイナスイオン放出材として冷蔵庫内に配設した。
また、マイナスイオン放出材を、冷蔵室用ダクト内又は野菜室冷却用ダクト内の両者又はいずれか一方に配設した。
さらに、マイナスイオン放出材を、冷蔵室用ダクト又は野菜室冷却用ダクトの両者又はいずれか一方の吹出し口近傍に配設した。
【０００７】
また、マイナスイオン放出材が、複合素材を塗布したシートからなり、このシートを冷蔵庫内に取り付けた。
さらに、複合素材を塗布したシートの裏面に粘着材を塗布し、シートの粘着材側を冷蔵庫内に貼り付けた。
また、マイナスイオン放出材に代えて複合素材を直接塗布した。
【０００８】
【発明の実施の形態】
［実施の形態１］
図１は本発明の実施の形態１の断面図である。１は冷蔵庫、１ａは冷蔵庫１の本体、２は冷蔵庫本体１ａの最上段に位置する冷蔵室、３は中央に位置する野菜室、４は最下段に位置する冷凍室である。５は冷凍室４の後部に設けた冷却器室で、冷却器６が配設され、冷却器６の上部にはファン装置７が設けられている。
【０００９】
８は冷気を通すダクトで、冷却器室５の上部より野菜室３と冷蔵室２の後部壁面内を通り、野菜室３の天井部に設けた野菜室冷却用ダクト９と、冷蔵室２の後部に設けた冷蔵室用ダクト１０に連通する。１１は冷却器室５から冷凍室４に冷気を流すために冷却器室５に設けた冷気の吹出し口、１２は野菜室冷却用ダクト９から野菜室３に冷気を流すために野菜室冷却用ダクト９に設けた冷気の吹出し口、１３は冷蔵室用ダクト１０から冷蔵室２に冷気を流すために冷蔵室用ダクト１０に設けた吹出し口である。
【００１０】
１４は冷蔵室用ダクト１０内及び野菜室冷却用ダクト９内に貼り付けたマイナスイオン放出シートである。
マイナスイオン放出シート１４は、イオン放出天然鉱石、遠赤外線放出物質及びシリコンからなる複合素材を、例えば可撓性を有するプラスチックシートに塗布したものである。イオン放出天然鉱石としては、ラジウム、酸化トリウムの如き放射性物質が含まれている希土類天然鉱石が用いられ、この物質から放出される放射性物質が周囲の物質をイオン化する。このイオン放出天然鉱石に、遠赤外線放出物質を入れることでイオン化能力を増大させ、シリコンによりイオン放出を阻害せずにマイナスイオン放出量を増加させることができ、イオン放出天然鉱石単体の場合よりもイオン発生量が多くなる。例えば、世界長から販売されているセシオン（商品名）がある。
【００１１】
なお、マイナスイオン放出シート１４の裏面には粘着材を塗布してもよく、こうすると、野菜室冷却用ダクト９や冷蔵室用ダクト１０などに容易に貼り付けることができる。
より具体的には、例えば、複合素材をシートに２５０ｇ／ｍ2 塗布したマイナスイオン放出レート１４を裏面に設けた粘着材により野菜冷却用ダクト９などに貼り付けて設置する。
【００１２】
ところで、イオン放出天然鉱石のマイナスイオンの放出に関して、水、酸素、窒素分子のイオン化に必要なエネルギーは、１０〜２０ｅＶ程度であるが、放射線のエネルギーは５ＭｅＶ程度であり、放射性物質により周囲の物質をイオン化する。このように、放射線は半永久的に放出されるので、マイナスイオンも半永久的に放出できる。
【００１３】
上記のように構成した実施の形態１の作用を説明する。冷却器室５の冷却器６で冷却された冷気は、ファン装置７によって冷却室４の吹出し口１１から冷凍室４内に吹出される。また、冷気は、ダクト８を通って、冷蔵室用ダクト１０に入ってその吹出し口１３から吹出され、また、野菜室３の天井部の野菜室冷却用ダクト９に入ってその吹出し口１２からも吹出され、それぞれ冷蔵室２および野菜室３に分配される。
【００１４】
その際に、冷蔵室２の冷蔵室用ダクト１０内に貼り付けているマイナスイオン放出シート１４の表面を冷気が通過し、このとき、冷気中にマイナスイオンを取り込む。また、同様に、野菜室３の野菜室冷却用ダクト９内に貼り付けているマイナスイオン放出シート１４の表面を冷気が通過し、このとき、冷気中にマイナスイオンが取り込まれる。
【００１５】
こうして、冷蔵庫１内にマイナスイオンを多く含む冷気を循環させて、庫内の脱臭性能や抗菌性能を高め、食品をおいしく保存することができると共に、一方で、冷蔵庫構成部品の成形性や基本物性を低下させることがない。
なお、冷蔵庫１は密閉構造になるために、居住空間と違って、夜間などの冷蔵庫を使用しない間にマイナスイオンが庫内に充満しやすいために、マイナスイオンの発生量が比較的少なくても効果が期待できる。
上記の説明では、シートに複合素材を塗布したマイナスイオン放出シート１４を貼付けるなどして取付けた場合を示したが、野菜室冷却用ダクト９、冷蔵室用ダクト１０などに複合素材を直接塗布してもよい。
【００１６】
［実施の形態２］
図２は本発明の実施の形態２の正面図で、図１の冷蔵室用ダクト１０の部分を示している。１４は冷蔵室用ダクト１０内のマイナスイオン放出シートで、吹き出し口１３までの距離を取る形でシート寸法を設定したものであり、冷気との接触距離が長くなるように、すなわち、冷気との接触時間を長くして、冷気をより長い時間マイナスイオン放出シート１４に接触させて、マイナスイオンの濃度をより多くするようにしてある。
さらに、上記の場合に、冷蔵室用ダクト１０の吹出し口１３近傍の広領域にわたって、マイナスイオン放出シート１４を配設するようにしてある。
【００１７】
冷気は風速があるために、マイナスイオン放出シート１４に距離が不足している場合は、マイナスイオンを十分に冷気内に取り込むことが難しいが、マイナスイオン放出シート１４を、上記のように、吹き出し口１３までの距離を十分に取る形で設置することによって、冷気をより長い時間、マイナスイオン放出シート１４に接触させることができる。
また、上記のようにマイナスイオン放出シート１４を距離を取って長時間冷気と接触させるほか、吹出し口１３の近傍に面積を取って設置して、庫内にマイナスイオンが放出されやすくし、食品が実際に収納される庫内のマイナスイオン濃度を高めるようにしてある。
【００１８】
上記のように構成した実施の形態１、２によれば、マイナスイオン放出シート１４は放電方式などの発生方法とは異なり、放射線による自然現象を利用しているため、発火などの安全面での心配がない。一方で、放射線の安全性については、マイナスイオン放出シート１４から検出される放射線量当量率は、検出限界以下となっており、安全性に問題はない。
マイナスイオン濃度も、マイナスイオンが多い環境としてたびたび例として出される滝つぼレベルのため、ここからも安全であることがわかる。
また、安全上の優位性だけでなく、放電方式と比較して安価にできるほか、設置スペースも、シートやケースあるいは庫内に塗布等することが可能なため、少なくてすむ。
【００１９】
また、従来の風路部品にイオン鉱石を添加する方式と比較した場合は、リサイクル性に優れており、シートをはがせばプラスチックなどと分離が可能であり、塗布した場合においても、溶剤によって除去することができ、シリコンを複合材料としているのでゴム状となり、鋭利なもの等で塗装面のみ除去することも可能である。
なお、上記の説明においては、マイナスイオン放出材を、野菜室冷却用ダクト９及び冷蔵室用ダクト１０内にシートを貼付けする場合を中心に説明したが、野菜室冷却用ダクト９、冷蔵室用ダクト１０内のみならず、冷蔵庫１の全体、例えば、内箱や仕切板表面、野菜ケースなどのケース類、トレイや棚、ポケットなどへ貼り付けるようにしてもよく、また、シートを貼付けるのではなく、複合素材をこれらに直接に塗布してもよい。
【００２０】
［実施例１］
表１は、マイナスイオン放出シート１４がある場合とない場合における、冷気内のマイナスイオン量と大腸菌の抗菌効果を示す。
【００２１】
【表１】
0004416932.tif 000002
【００２２】
マイナスイオン放出シート１４を野菜室冷却用ダクト９及び冷蔵室用ダクト１０内に貼り付けた場合は、２５２０個／ｍｌのマイナスイオンが検出された。一方、マイナスイオン放出シート１４が設けられていない場合は、マイナスイオンが７３個／ｍｌであった。抗菌効果も、マイナスイオン放出シート１４を貼り付けた場合は、菌数が１０2 個であり、一方、マイナスイオン放出シート１４が設けられていない場合は、菌数が１０3 個であり、マイナスイオン放出シート１４がある場合の方が、１桁だけ菌数が少ない結果となった。
【００２３】
［実施例２］
図３は、脱臭効果を示した線図で、横軸に時間（分）、縦軸にアセトアルデヒドの残存率（％）を示したものである。アセトアルデヒドの濃度の変化を測定した結果によれば、マイナスイオン放出シート１４を設けた場合は、何もない場合と比較して、脱臭効果があることがわかる。
マイナスイオンの抗菌、脱臭原理については、細菌やニオイ分子がプラスに帯電しているの対して、マイナスイオンが付着することによって、これが死滅または電気的に中和されるためであると考えらる。
【００２４】
【発明の効果】
以上の説明から明らかなように、本発明に係る冷凍冷蔵庫は、ラジウムまたは酸化トリウムからなる放射性物質が含まれている希土類天然鉱石であるイオン放出天然鉱石と、このイオン放出天然鉱石のイオン化能力を増大させる遠赤外線放出物質と、イオン放出を阻害せずにマイナスイオン放出量を増加させるシリコンとによって、マイナスイオンを放出する複合素材を構成し、この複合素材をマイナスイオン放出材として冷蔵庫内に配設したので、冷蔵庫内を循環するマイナスイオン濃度を高くすることができ、このため、抗菌および脱臭性能が向上し、食品をおいしく衛生的に保存することができる。
【００２５】
また、マイナスイオン放出材を、冷蔵室用ダクト内又は野菜室冷却用ダクト内の両者又はいずれか一方に配設したので、ダクト内を通過する冷気の抗菌、脱臭を行うことができる。
さらに、マイナスイオン放出部材を、冷蔵室用ダクト又は野菜室冷却用ダクトの両者又はいずれか一方の吹出し口近傍に配設したので、食品が実際に収納される庫内のマイナスイオン濃度を高めることができる。
【００２６】
また、マイナスイオン放出材が、複合素材を塗布したシートからなり、このシートを冷蔵庫内に取り付けたので、マイナスイオン放出材を冷蔵庫内に簡単に設置することができる。
さらに、複合素材を塗布したシートの裏面に粘着材を塗布し、このシートの粘着材側を冷蔵庫内に貼り付けたので、接着剤仕様にすることができ、冷蔵庫内にきわめて簡単に設置することができる。
また、マイナスイオン放出材に代えて複合素材を直接塗布したので、マイナスイオン放出材を冷蔵庫内に簡単に設置することができる。
【図面の簡単な説明】
【図１】  本発明の実施の形態１の断面図である。
【図２】  本発明の実施の形態２の要部の正面図である。
【図３】  アセトアルデヒドの濃度変化を示す線図である。
【符号の説明】
１  冷蔵庫、２  冷蔵室、３  野菜室、４  冷凍室、５  冷却器室、６  冷却器、８  ダクト、９  野菜室冷却用ダクト、１０  冷蔵室用ダクト、１１，１２，１３  吹出し口、１４  マイナスイオン放出シート。
【図１】
0004416932.tif 000003
【図２】
0004416932.tif 000004
【図３】
0004416932.tif 000005